(57)【特許請求の範囲】
【請求項１】
一の基地局制御装置と一又は複数の基地局装置の各々との間で交換される第１のメッセージと、前記基地局装置を介してユーザ装置との間でユーザデータを送受する伝送装置と前記基地局制御装置との間で交換される第２のメッセージとを分析するメッセージ分析装置であり、
メッセージの交換時刻情報と、前記基地局制御装置の管理下にある一のユーザ装置に対して一時的に付与された第１の端末識別子とを有する前記第１のメッセージと、
メッセージの交換時刻情報と、前記第１の端末識別子と、当該第１の端末識別子が付与されたユーザ装置のユーザデータの前記伝送装置との送受に使用されるユーザデータ伝送経路に対して付与された第１の伝送経路識別子と、を有する前記第１のメッセージと、
メッセージの交換時刻情報と、一のユーザ装置に固有の第２の端末識別子と、当該第２の端末識別子が付与されたユーザ装置のユーザデータの前記伝送装置との送受に使用されるユーザデータ伝送経路に対して付与された第２の伝送経路識別子と、を有する前記第２のメッセージと、
を収集するメッセージ収集部と、
前記メッセージ収集部により収集された前記第１のメッセージから前記交換時刻情報と前記第１の端末識別子と前記第１の伝送経路識別子とを取得し、
前記メッセージ収集部により収集された前記第２のメッセージから前記交換時刻情報と前記第２の端末識別子と前記第２の伝送経路識別子とを取得する、
メッセージ解析部と、
前記メッセージ解析部により取得された前記第１の端末識別子に基づいて前記メッセージ収集部により収集された前記第１のメッセージをグループ分けし、
前記メッセージ解析部により取得された前記第２の伝送経路識別子と同じ値の前記第１の伝送経路識別子を有する前記第１のメッセージを含む前記第１の端末識別子のグループに対して、当該前記第２の伝送経路識別子を有する前記第２のメッセージの前記第２の端末識別子を対応付ける、
メッセージ対応付け部と、
を備えたメッセージ分析装置。
【請求項２】
前記メッセージ対応付け部は、前記第１の端末識別子の有効期限の判定を行い、有効期限切れの前記第１の端末識別子を有する前記第１のメッセージを当該第１の端末識別子のグループから削除する、
請求項１に記載のメッセージ分析装置。
【請求項３】
前記メッセージ収集部は、メッセージの交換時刻情報と、前記第１の端末識別子と、一の前記基地局装置と当該基地局装置のカバレッジ内に在る一のユーザ装置との関連付けを示す基地局・端末関連付け識別情報または前記基地局制御装置の管理下にある一のユーザ装置と前記基地局制御装置との関連付けを示す端末・基地局制御装置関連付け識別情報と、を有する前記第１のメッセージをさらに収集し、
前記メッセージ解析部は、前記メッセージ収集部により収集された前記第１のメッセージから前記基地局・端末関連付け識別情報または前記端末・基地局制御装置関連付け識別情報をさらに取得し、
前記メッセージ対応付け部は、異なる前記第１の端末識別子のグループの各々に同じ前記基地局・端末関連付け識別情報または同じ前記端末・基地局制御装置関連付け識別情報を有する前記第１のメッセージが存在する場合には、当該異なる前記第１の端末識別子のグループ同士を対応付ける、
請求項１又は２のいずれか１項に記載のメッセージ分析装置。
【請求項４】
前記メッセージ対応付け部により対応付けされた前記第１の端末識別子のグループ内の前記第１のメッセージの各々の交換時刻情報に基づいた最も早い交換時刻から最も遅い交換時刻までの経過時間に基づいて、当該グループに対応付けされた前記第２の端末識別子に該当するユーザ装置の動作状態を判定するユーザ装置状態管理部、
をさらに備えた請求項１から３のいずれか１項に記載のメッセージ分析装置。
【請求項５】
一の基地局制御装置と一又は複数の基地局装置の各々との間で交換される第１のメッセージと、前記基地局装置を介してユーザ装置との間でユーザデータを送受する伝送装置と前記基地局制御装置との間で交換される第２のメッセージとを分析するメッセージ分析方法であり、
メッセージ分析装置が、
メッセージの交換時刻情報と、前記基地局制御装置の管理下にある一のユーザ装置に対して一時的に付与された第１の端末識別子とを有する前記第１のメッセージと、
メッセージの交換時刻情報と、前記第１の端末識別子と、当該第１の端末識別子が付与されたユーザ装置のユーザデータの前記伝送装置との送受に使用されるユーザデータ伝送経路に対して付与された第１の伝送経路識別子と、を有する前記第１のメッセージと、
メッセージの交換時刻情報と、一のユーザ装置に固有の第２の端末識別子と、当該第２の端末識別子が付与されたユーザ装置のユーザデータの前記伝送装置との送受に使用されるユーザデータ伝送経路に対して付与された第２の伝送経路識別子と、を有する前記第２のメッセージと、
を収集するメッセージ収集ステップと、
前記メッセージ分析装置が、
前記メッセージ収集ステップにより収集された前記第１のメッセージから前記交換時刻情報と前記第１の端末識別子と前記第１の伝送経路識別子とを取得し、
前記メッセージ収集ステップにより収集された前記第２のメッセージから前記交換時刻情報と前記第２の端末識別子と前記第２の伝送経路識別子とを取得する、
メッセージ解析ステップと、
前記メッセージ分析装置が、
前記メッセージ解析ステップにより取得された前記第１の端末識別子に基づいて前記メッセージ収集ステップにより収集された前記第１のメッセージをグループ分けし、
前記メッセージ解析ステップにより取得された前記第２の伝送経路識別子と同じ値の前記第１の伝送経路識別子を有する前記第１のメッセージを含む前記第１の端末識別子のグループに対して、当該前記第２の伝送経路識別子を有する前記第２のメッセージの前記第２の端末識別子を対応付ける、
メッセージ対応付けステップと、
を含むメッセージ分析方法。
【請求項６】
一の基地局制御装置と一又は複数の基地局装置の各々との間で交換される第１のメッセージと、前記基地局装置を介してユーザ装置との間でユーザデータを送受する伝送装置と前記基地局制御装置との間で交換される第２のメッセージとの分析を行うためのコンピュータプログラムであって、
メッセージの交換時刻情報と、前記基地局制御装置の管理下にある一のユーザ装置に対して一時的に付与された第１の端末識別子とを有する前記第１のメッセージと、
メッセージの交換時刻情報と、前記第１の端末識別子と、当該第１の端末識別子が付与されたユーザ装置のユーザデータの前記伝送装置との送受に使用されるユーザデータ伝送経路に対して付与された第１の伝送経路識別子と、を有する前記第１のメッセージと、
メッセージの交換時刻情報と、一のユーザ装置に固有の第２の端末識別子と、当該第２の端末識別子が付与されたユーザ装置のユーザデータの前記伝送装置との送受に使用されるユーザデータ伝送経路に対して付与された第２の伝送経路識別子と、を有する前記第２のメッセージと、
を収集するメッセージ収集ステップと、
前記メッセージ収集ステップにより収集された前記第１のメッセージから前記交換時刻情報と前記第１の端末識別子と前記第１の伝送経路識別子とを取得し、
前記メッセージ収集ステップにより収集された前記第２のメッセージから前記交換時刻情報と前記第２の端末識別子と前記第２の伝送経路識別子とを取得する、
メッセージ解析ステップと、
前記メッセージ解析ステップにより取得された前記第１の端末識別子に基づいて前記メッセージ収集ステップにより収集された前記第１のメッセージをグループ分けし、
前記メッセージ解析ステップにより取得された前記第２の伝送経路識別子と同じ値の前記第１の伝送経路識別子を有する前記第１のメッセージを含む前記第１の端末識別子のグループに対して、当該前記第２の伝送経路識別子を有する前記第２のメッセージの前記第２の端末識別子を対応付ける、
メッセージ対応付けステップと、
をコンピュータに実行させるためのコンピュータプログラム。
【発明の詳細な説明】
【技術分野】
【０００１】
本発明は、メッセージ分析装置、メッセージ分析方法およびコンピュータプログラムに関する。
【背景技術】
【０００２】
３ＧＰＰ（3rd Generation Partnership Project）で標準化作業が進められているＬＴＥ（Long Term Evolution）と呼ばれる無線通信サービス（ＬＴＥサービス）が知られている（例えば、非特許文献１参照）。ＬＴＥサービスを提供する一般のテレコミュニケーションネットワーク（ＬＴＥネットワーク）では、一台のＭＭＥ（Mobility Management Entity：基地局制御装置）に対して、多数のｅＮｏｄｅＢ（基地局装置）を収容している。また、各ｅＮｏｄｅＢでは、多数のユーザ装置（ＵＥ：User Equipment）を収容している。このため、各ｅＮｏｄｅＢと一台のＭＭＥを相互接続する各Ｓ１−ＭＭＥインタフェースでは、各ｅＮｏｄｅＢに収容されている多数のユーザ装置に関わる膨大な数のデータ・パケットが流れている。これらＳ１−ＭＭＥインタフェース上のデータ・パケットは、各ユーザ装置の状態変化（アタッチ、ハンドオーバ、アイドル状態への遷移など）を契機に発生する。そして、そのＳ１−ＭＭＥインタフェースでは、多数のユーザ装置のデータ・パケットが入れ混じった状態で観測される。この観測された個々のデータ・パケットから、直接、ユーザ装置を識別することや、ユーザ装置の状態を特定することはできない。
【０００３】
特許文献１には、ＬＴＥネットワークにおけるデータ・パケットのモニタリング方法の従来技術の一例が記載されている。特許文献１の従来技術では、Ｓ１−ＭＭＥインタフェースにおいて、暗号されて流れる一部のＮＡＳ（Non-Access Stratum）メッセージを解読する方法を示している。具体的には、ＭＭＥとＨＳＳ（Home Subscriber System）を相互接続するＳ６ａインタフェース、および、ＭＭＥとＳＧＳＮ（Serving GPRS Support Node）を相互接続するＳ３インタフェースのそれぞれのインタフェースを流れるデータ・パケットをモニタリング装置で捕捉し、Ｓ１−ＭＭＥインタフェースにおいて、暗号化されたＮＡＳメッセージを解読するために必要な鍵キーを捕捉し、該暗号化されたＮＡＳメッセージを解読する。これにより、ＮＡＳメッセージからユーザ装置をＩＭＳＩ（International Mobile Subscriber Identifier）で識別し、各ユーザ装置単位でのセッション記録を作成することができる。
【先行技術文献】
【特許文献】
【０００４】
【特許文献１】特開２０１２−１３４９７５号公報
【非特許文献】
【０００５】
【非特許文献１】3GPP、TS 36.413 V12、“S1 Application Protocol (S1AP)”
【発明の概要】
【発明が解決しようとする課題】
【０００６】
上述した特許文献１の従来技術によれば、Ｓ１−ＭＭＥインタフェース上を流れるＮＡＳメッセージとユーザ装置との対応付けを行うことができる。しかしながら、ＮＡＳメッセージは暗号化されている場合が多いため、暗号化されたＮＡＳメッセージの復号化に失敗すると、ユーザ装置の識別ができない事象が多く発生する。また、ＮＡＳメッセージはＳ１−ＭＭＥインタフェース上を流れる制御メッセージ全体の極一部であり、ＮＡＳメッセージ以外のＩＭＳＩを有さない制御メッセージについては、特許文献１の従来技術ではユーザ装置との対応付けを行うことができない。また、ＮＡＳメッセージだけでは、ユーザ装置の状態を把握することが難しい。
【０００７】
本発明は、このような事情を考慮してなされたものであり、基地局装置と基地局制御装置との間で交換されるメッセージとユーザ装置との対応付け範囲の拡大を図ると共にユーザ装置の状態の把握に寄与できる、メッセージ分析装置、メッセージ分析方法およびコンピュータプログラムを提供することを課題とする。
【課題を解決するための手段】
【０００８】
（１）本発明の一態様は、一の基地局制御装置と一又は複数の基地局装置の各々との間で交換される第１のメッセージと、前記基地局装置を介してユーザ装置との間でユーザデータを送受する伝送装置と前記基地局制御装置との間で交換される第２のメッセージとを分析するメッセージ分析装置であり、メッセージの交換時刻情報と、前記基地局制御装置の管理下にある一のユーザ装置に対して一時的に付与された第１の端末識別子とを有する前記第１のメッセージと、メッセージの交換時刻情報と、前記第１の端末識別子と、当該第１の端末識別子が付与されたユーザ装置のユーザデータの前記伝送装置との送受に使用されるユーザデータ伝送経路に対して付与された第１の伝送経路識別子と、を有する前記第１のメッセージと、メッセージの交換時刻情報と、一のユーザ装置に固有の第２の端末識別子と、当該第２の端末識別子が付与されたユーザ装置のユーザデータの前記伝送装置との送受に使用されるユーザデータ伝送経路に対して付与された第２の伝送経路識別子と、を有する前記第２のメッセージと、を収集するメッセージ収集部と、前記メッセージ収集部により収集された前記第１のメッセージから前記交換時刻情報と前記第１の端末識別子と前記第１の伝送経路識別子とを取得し、前記メッセージ収集部により収集された前記第２のメッセージから前記交換時刻情報と前記第２の端末識別子と前記第２の伝送経路識別子とを取得する、メッセージ解析部と、前記メッセージ解析部により取得された前記第１の端末識別子に基づいて前記メッセージ収集部により収集された前記第１のメッセージをグループ分けし、前記メッセージ解析部により取得された前記第２の伝送経路識別子と同じ値の前記第１の伝送経路識別子を有する前記第１のメッセージを含む前記第１の端末識別子のグループに対して、当該前記第２の伝送経路識別子を有する前記第２のメッセージの前記第２の端末識別子を対応付ける、メッセージ対応付け部と、を備えたメッセージ分析装置である。
（２）本発明の一態様は、上記（１）のメッセージ分析装置において、前記メッセージ対応付け部は、前記第１の端末識別子の有効期限の判定を行い、有効期限切れの前記第１の端末識別子を有する前記第１のメッセージを当該第１の端末識別子のグループから削除する、メッセージ分析装置である。
（３）本発明の一態様は、上記（１）又は（２）のいずれかのメッセージ分析装置において、前記メッセージ収集部は、メッセージの交換時刻情報と、前記第１の端末識別子と、一の前記基地局装置と当該基地局装置のカバレッジ内に在る一のユーザ装置との関連付けを示す基地局・端末関連付け識別情報または前記基地局制御装置の管理下にある一のユーザ装置と前記基地局制御装置との関連付けを示す端末・基地局制御装置関連付け識別情報と、を有する前記第１のメッセージをさらに収集し、前記メッセージ解析部は、前記メッセージ収集部により収集された前記第１のメッセージから前記基地局・端末関連付け識別情報または前記端末・基地局制御装置関連付け識別情報をさらに取得し、前記メッセージ対応付け部は、異なる前記第１の端末識別子のグループの各々に同じ前記基地局・端末関連付け識別情報または同じ前記端末・基地局制御装置関連付け識別情報を有する前記第１のメッセージが存在する場合には、当該異なる前記第１の端末識別子のグループ同士を対応付ける、メッセージ分析装置である。
（４）本発明の一態様は、上記（１）から（３）のいずれかのメッセージ分析装置において、前記メッセージ対応付け部により対応付けされた前記第１の端末識別子のグループ内の前記第１のメッセージの各々の交換時刻情報に基づいた最も早い交換時刻から最も遅い交換時刻までの経過時間に基づいて、当該グループに対応付けされた前記第２の端末識別子に該当するユーザ装置の動作状態を判定するユーザ装置状態管理部、をさらに備えたメッセージ分析装置である。
【０００９】
（５）本発明の一態様は、一の基地局制御装置と一又は複数の基地局装置の各々との間で交換される第１のメッセージと、前記基地局装置を介してユーザ装置との間でユーザデータを送受する伝送装置と前記基地局制御装置との間で交換される第２のメッセージとを分析するメッセージ分析方法であり、メッセージ分析装置が、メッセージの交換時刻情報と、前記基地局制御装置の管理下にある一のユーザ装置に対して一時的に付与された第１の端末識別子とを有する前記第１のメッセージと、メッセージの交換時刻情報と、前記第１の端末識別子と、当該第１の端末識別子が付与されたユーザ装置のユーザデータの前記伝送装置との送受に使用されるユーザデータ伝送経路に対して付与された第１の伝送経路識別子と、を有する前記第１のメッセージと、メッセージの交換時刻情報と、一のユーザ装置に固有の第２の端末識別子と、当該第２の端末識別子が付与されたユーザ装置のユーザデータの前記伝送装置との送受に使用されるユーザデータ伝送経路に対して付与された第２の伝送経路識別子と、を有する前記第２のメッセージと、を収集するメッセージ収集ステップと、前記メッセージ分析装置が、前記メッセージ収集ステップにより収集された前記第１のメッセージから前記交換時刻情報と前記第１の端末識別子と前記第１の伝送経路識別子とを取得し、前記メッセージ収集ステップにより収集された前記第２のメッセージから前記交換時刻情報と前記第２の端末識別子と前記第２の伝送経路識別子とを取得する、メッセージ解析ステップと、前記メッセージ分析装置が、前記メッセージ解析ステップにより取得された前記第１の端末識別子に基づいて前記メッセージ収集ステップにより収集された前記第１のメッセージをグループ分けし、前記メッセージ解析ステップにより取得された前記第２の伝送経路識別子と同じ値の前記第１の伝送経路識別子を有する前記第１のメッセージを含む前記第１の端末識別子のグループに対して、当該前記第２の伝送経路識別子を有する前記第２のメッセージの前記第２の端末識別子を対応付ける、メッセージ対応付けステップと、を含むメッセージ分析方法である。
【００１０】
（６）本発明の一態様は、一の基地局制御装置と一又は複数の基地局装置の各々との間で交換される第１のメッセージと、前記基地局装置を介してユーザ装置との間でユーザデータを送受する伝送装置と前記基地局制御装置との間で交換される第２のメッセージとの分析を行うためのコンピュータプログラムであって、メッセージの交換時刻情報と、前記基地局制御装置の管理下にある一のユーザ装置に対して一時的に付与された第１の端末識別子とを有する前記第１のメッセージと、メッセージの交換時刻情報と、前記第１の端末識別子と、当該第１の端末識別子が付与されたユーザ装置のユーザデータの前記伝送装置との送受に使用されるユーザデータ伝送経路に対して付与された第１の伝送経路識別子と、を有する前記第１のメッセージと、メッセージの交換時刻情報と、一のユーザ装置に固有の第２の端末識別子と、当該第２の端末識別子が付与されたユーザ装置のユーザデータの前記伝送装置との送受に使用されるユーザデータ伝送経路に対して付与された第２の伝送経路識別子と、を有する前記第２のメッセージと、を収集するメッセージ収集ステップと、前記メッセージ収集ステップにより収集された前記第１のメッセージから前記交換時刻情報と前記第１の端末識別子と前記第１の伝送経路識別子とを取得し、前記メッセージ収集ステップにより収集された前記第２のメッセージから前記交換時刻情報と前記第２の端末識別子と前記第２の伝送経路識別子とを取得する、メッセージ解析ステップと、前記メッセージ解析ステップにより取得された前記第１の端末識別子に基づいて前記メッセージ収集ステップにより収集された前記第１のメッセージをグループ分けし、前記メッセージ解析ステップにより取得された前記第２の伝送経路識別子と同じ値の前記第１の伝送経路識別子を有する前記第１のメッセージを含む前記第１の端末識別子のグループに対して、当該前記第２の伝送経路識別子を有する前記第２のメッセージの前記第２の端末識別子を対応付ける、メッセージ対応付けステップと、をコンピュータに実行させるためのコンピュータプログラムである。
【発明の効果】
【００１１】
本発明によれば、基地局装置と基地局制御装置との間で交換されるメッセージとユーザ装置との対応付け範囲の拡大を図ることができる。また、ユーザ装置の状態の把握に寄与できるという効果が得られる。
【図面の簡単な説明】
【００１２】
【図１】本発明の一実施形態に係るメッセージ分析装置１の構成を示すブロック図である。
【図２】本発明の一実施形態に係るメッセージ分析装置１が適用されるＬＴＥネットワークの一例を示す概略構成図である。
【図３】本発明の一実施形態に係るメッセージ分析方法の手順を示すフローチャートである。
【図４】本発明の一実施形態に係るメッセージ分析方法の手順を示すフローチャートである。
【図５】本発明の一実施形態に係る解析対象のメッセージの種類を示す図表である。
【図６】ＬＴＥネットワークに係るプロトコルスタックの一つを示す図である。
【図７】本発明の一実施形態に係る制御メッセージのシーケンス図である。
【図８】本発明の一実施形態に係る解析対象のメッセージの種類を示す図表である。
【図９】図４に示すステップＳ１１の処理手順を示すフローチャートである。
【図１０】本発明の一実施形態に係るＩＭＳＩパラメータの対応付けの例１を説明するための制御メッセージのシーケンス図である。
【図１１】本発明の一実施形態に係るＩＭＳＩパラメータの対応付けの例２を説明するための制御メッセージのシーケンス図である。
【図１２】本発明の一実施形態に係るＩＭＳＩパラメータの対応付けの例３を説明するための制御メッセージのシーケンス図である。
【図１３】本発明の一実施形態に係る制御メッセージの対応付けの例を示す図表である。
【発明を実施するための形態】
【００１３】
以下、図面を参照し、本発明の実施形態について説明する。本実施形態では、無線通信ネットワークの一例として、ＬＴＥネットワークを挙げて説明する。
【００１４】
図１は、本発明の一実施形態に係るメッセージ分析装置１の構成を示すブロック図である。図１において、メッセージ分析装置１は、メッセージ収集部１０とメッセージ解析部１２とパラメータ記憶部１４とメッセージ対応付け部１６とユーザ装置状態管理部１８とを備える。メッセージ収集部１０は、解析対象のメッセージを収集する。メッセージ解析部１２は、該収集されたメッセージを解析する。パラメータ記憶部１４は、該解析の結果として得られたパラメータを記憶する。メッセージ対応付け部１６は、該記憶されたパラメータに基づいて、メッセージ収集部１０で収集されたメッセージとユーザ装置との対応付けを行う。ユーザ装置状態管理部１８は、ユーザ装置に対応付けされたメッセージに基づいて、当該ユーザ装置の動作状態の管理を行う。
【００１５】
図２は、本実施形態に係るメッセージ分析装置１が適用されるＬＴＥネットワークの一例を示す概略構成図である。図２において、ＬＴＥネットワークは、無線ネットワークとしてのｅＵＴＲＡＮ（Evolved Universal Terrestrial Radio Network）＿３０と、コアネットワークとしてのＥＰＣ（Evolved Packet Core）＿４０とを有する。ｅＵＴＲＡＮ＿３０は、ｅＮｏｄｅＢ＿３２（基地局装置）を有する。ｅＮｏｄｅＢ＿３２は、自己のカバレッジ（coverage：無線通信が可能な範囲）内に在るＵＥ（ユーザ装置）＿３４と無線通信する。ＥＰＣ＿４０は、ＭＭＥ＿４２（基地局制御装置）、ＳＧＷ（Serving Gateway）＿４４、ＰＧＷ（PDN（Packet Data Network） Gateway）＿４６、ＨＳＳ＿４８など、複数の装置群よって構成されている。
【００１６】
メッセージ分析装置１は、一のＭＭＥ＿４２と一のｅＮｏｄｅＢ＿３２とを相互接続するＳ１−ＭＭＥインタフェースを流れるデータ・パケットを捕捉する。又は、メッセージ分析装置１は、一のＭＭＥ＿４２と複数（Ｎ個）のｅＮｏｄｅＢ＿３２とを各々相互接続する複数（Ｎ個）のＳ１−ＭＭＥインタフェースの各々を流れるデータ・パケットを捕捉してもよい。
【００１７】
メッセージ分析装置１は、一のＭＭＥ＿４２と一のＳＧＷ＿４４とを相互接続するＳ１１インタフェースを流れるデータ・パケットを捕捉する。なお、データ・パケットとは、ＩＰ（Internet Protocol）ヘッダおよびＩＰヘッダ以降のペイロードを含むＩＰパケットのことを指す。
【００１８】
ＳＧＷ＿４４は、ＵＥ＿３４のユーザデータの伝送を行う伝送装置である。ＳＧＷ＿４４は、ｅＮｏｄｅＢ＿３２を介して、ＵＥ＿３４との間でユーザデータを送受する。ＵＥ＿３４毎に、ユーザデータ伝送経路（以下、トンネルと称する）が設定される。ＵＥ＿３４のユーザデータは、トンネルを介して、ＳＧＷ＿４４との間で送受される。
【００１９】
ＵＥ＿３４にはＴＭＳＩパラメータとＩＭＳＩパラメータとが付与される。ＴＭＳＩパラメータは、ＭＭＥ＿４２の管理下にある一のＵＥ＿３４に対して一時的に付与された第１の端末識別子である。ＩＭＳＩパラメータは、一のＵＥ＿３４に固有の第２の端末識別子である。
【００２０】
次に、本実施形態に係るメッセージ分析装置１の動作を説明する。図３および図４は、本実施形態に係るメッセージ分析方法の手順を示すフローチャートである。まず、図３を参照して、メッセージの収集および解析に係る動作を説明する。メッセージ分析装置１は、データ・パケットを捕捉すると、図３の処理を開始する。
【００２１】
（ステップＳ１）メッセージ収集部１０は、Ｓ１−ＭＭＥインタフェースを流れるデータ・パケットを捕捉（受信）し、該捕捉したデータ・パケットから解析対象のメッセージを収集する。メッセージ収集部１０は、Ｓ１１インタフェースを流れるデータ・パケットを捕捉（受信）し、該捕捉したデータ・パケットから解析対象のメッセージを収集する。ここで、本実施形態に係る解析対象のメッセージについて以下に説明する。
【００２２】
図５は、本実施形態に係る解析対象のメッセージの種類を示す図表である。図５には、Ｓ１−ＭＭＥインタフェースにおける解析対象のメッセージの種類が示される。本実施形態では、図５に示される５種類の制御メッセージ「初期ＵＥメッセージ（Initial UE Message）」、「初期コンテキスト設定メッセージ（Initial Context Setup Message）」、「パス切替要求メッセージ（Path Switch Request Message）」、「ＵＥコンテキストリリースメッセージ（UE Context Release Message）」、及び「ハンドオーバリソース割当メッセージ（Handover Resource Allocation）」を、Ｓ１−ＭＭＥインタフェースにおける解析対象のメッセージ（第１のメッセージ）として収集する。初期ＵＥメッセージ、初期コンテキスト設定メッセージ、パス切替要求メッセージ、ＵＥコンテキストリリースメッセージ、及びハンドオーバリソース割当メッセージは、図６に示されるＳ１−ＡＰの制御信号である。
【００２３】
図６は、ＬＴＥネットワークに係るプロトコルスタックの一つを示す図である。Ｓ１−ＡＰの制御信号は、ｅＮｏｄｅＢ＿３２とＭＭＥ＿４２との間で交換される。Ｓ１−ＡＰの制御信号には「S1AP Procedure Code」が付与されている。初期ＵＥメッセージの「S1AP Procedure Code」は「１２」、初期コンテキスト設定メッセージの「S1AP Procedure Code」は「９」、パス切替要求メッセージの「S1AP Procedure Code」は「３」、ＵＥコンテキストリリースメッセージの「S1AP Procedure Code」は「２３」、ハンドオーバリソース割当メッセージの「S1AP Procedure Code」は「１」である。
【００２４】
初期ＵＥメッセージは、一のｅＮｏｄｅＢ＿３２と当該ｅＮｏｄｅＢ＿３２のカバレッジ内に在る一のＵＥ＿３４との関連付けの開始を示す関連付け開始メッセージとして機能する。初期コンテキスト設定メッセージは、ＭＭＥ＿４２の管理下にある一のＵＥ＿３４と当該ＭＭＥ＿４２との関連付けを示す関連付け情報メッセージとして機能する。パス切替要求メッセージは、ＭＭＥ＿４２の管理下にある一のＵＥ＿３４とｅＮｏｄｅＢ＿３２との関連付けの変更を示す関連付け変更メッセージとして機能する。パス切替要求メッセージは、当該ＵＥ＿３４との関連付けの変更先のｅＮｏｄｅＢ＿３２から送信される。ＵＥコンテキストリリースメッセージは、一のｅＮｏｄｅＢ＿３２と当該ｅＮｏｄｅＢ＿３２のカバレッジ内に在る一のＵＥ＿３４との関連付けの解放を示す関連付け解放メッセージとして機能する。
【００２５】
図７は、初期ＵＥメッセージ、初期コンテキスト設定メッセージ、パス切替要求メッセージ及びＵＥコンテキストリリースメッセージの一連の送信順序と送信方向を示すシーケンス図である。初期ＵＥメッセージは、ｅＮｏｄｅＢ＿３２からＭＭＥ＿４２へ送信される。初期コンテキスト設定メッセージは、ＭＭＥ＿４２からｅＮｏｄｅＢ＿３２へ送信される。パス切替要求メッセージは、ｅＮｏｄｅＢ＿３２からＭＭＥ＿４２へ送信される。ＵＥコンテキストリリースメッセージは、ｅＮｏｄｅＢ＿３２からＭＭＥ＿４２へ送信される。なお、ＵＥコンテキストリリースメッセージは、ＭＭＥ＿４２からｅＮｏｄｅＢ＿３２へ送信される場合もある。
【００２６】
ハンドオーバリソース割当メッセージは、ＭＭＥ＿４２からハンドオーバ先のｅＮｏｄｅＢ＿３２へ送信される。ハンドオーバリソース割当メッセージは、ＭＭＥ＿４２からハンドオーバ先のｅＮｏｄｅＢ＿３２に対して、ＵＥ＿３４のハンドオーバのために、ハンドオーバ先のｅＮｏｄｅＢ＿３２のリソースを割当てるように通知するメッセージである。
【００２７】
図８は、本実施形態に係る解析対象のメッセージの種類を示す図表である。図８には、
Ｓ１１インタフェースにおける解析対象のメッセージの種類が示される。本実施形態では、図８に示される２種類の制御メッセージ「ベアラ変更要求メッセージ（Modify Bearer Request）」及び「ベアラ変更応答メッセージ（Modify Bearer Response）」を、Ｓ１１インタフェースにおける解析対象のメッセージ（第２のメッセージ）として収集する。ベアラ変更要求メッセージ及びベアラ変更応答メッセージは、ＧＴＰｖ２プロトコルの制御信号である。ＧＴＰｖ２プロトコルの制御信号には「GTPv2 Message Type」が付与されている。ベアラ変更要求メッセージの「GTPv2 Message Type」は「３４」、ベアラ変更応答メッセージの「GTPv2 Message Type」は「３５」である。
【００２８】
説明を図３に戻す。
（ステップＳ２）メッセージ解析部１２は、メッセージ収集部１０により収集された制御メッセージについての解析を行い、この解析の結果としてパラメータを抽出する。ここで、本実施形態に係る抽出対象のパラメータについて以下に説明する。
【００２９】
［初期ＵＥメッセージ］
初期ＵＥメッセージについて、以下のパラメータを抽出する。
（１）交換時刻情報
交換時刻情報は、当該初期ＵＥメッセージがｅＮｏｄｅＢ＿３２とＭＭＥ＿４２との間で交換された時刻を示す。具体的には、初期ＵＥメッセージが格納されていたデータ・パケットのタイムスタンプ情報に基づいて、当該初期ＵＥメッセージの交換時刻情報を取得する。
（２）ＴＭＳＩパラメータ
ＴＭＳＩパラメータは、初期ＵＥメッセージから取得される。このＴＭＳＩパラメータは、当該初期ＵＥメッセージを送信したｅＮｏｄｅＢ＿３２のカバレッジ内に在る一のＵＥ＿３４に対して付与された一時的な識別子である。ＴＭＳＩパラメータは、当該ｅＮｏｄｅＢ＿３２を管理するＭＭＥ＿４２の管理下に入ったＵＥ＿３４に対して、該ＵＥ＿３４を識別するために一時的に、ＭＭＥ＿４２によって付与される。ＴＭＳＩパラメータは、ＵＥ＿３４に固有のＩＭＳＩとは異なり、一時的な識別子であるので、実際のＵＥ＿３４の特定を行うことはできない。なお、ＵＥ＿３４がはじめてＭＭＥ＿４２の管理下に入った時にはまだＴＭＳＩパラメータが付与されていないので、初期ＵＥメッセージからＴＭＳＩパラメータを取得できない。ＴＭＳＩパラメータを取得できなかった初期ＵＥメッセージについては、廃棄する。
（３）ＥＮＢ−ＵＥ−Ｓ１ＡＰ−ＩＤパラメータ
ＥＮＢ−ＵＥ−Ｓ１ＡＰ−ＩＤパラメータは、初期ＵＥメッセージから取得される。このＥＮＢ−ＵＥ−Ｓ１ＡＰ−ＩＤパラメータは、当該初期ＵＥメッセージのＴＭＳＩパラメータで識別されるＵＥ＿３４と当該初期ＵＥメッセージを送信したｅＮｏｄｅＢ＿３２との関連付けを示す基地局・端末関連付け識別情報である。
【００３０】
［初期コンテキスト設定メッセージ］
初期コンテキスト設定メッセージについて、以下のパラメータを抽出する。
（１）交換時刻情報
交換時刻情報は、当該初期コンテキスト設定メッセージがｅＮｏｄｅＢ＿３２とＭＭＥ＿４２との間で交換された時刻を示す。具体的には、初期コンテキスト設定メッセージが格納されていたデータ・パケットのタイムスタンプ情報に基づいて、当該初期コンテキスト設定メッセージの交換時刻情報を取得する。
（２）ＴＭＳＩパラメータ
ＴＭＳＩパラメータは、初期コンテキスト設定メッセージから取得される。このＴＭＳＩパラメータは、当該初期コンテキスト設定メッセージを送信したＭＭＥ＿４２の管理下にある一のＵＥ＿３４に対して付与された一時的な識別子である。
（３）ＭＭＥ−ＵＥ−Ｓ１ＡＰ−ＩＤパラメータ
ＭＭＥ−ＵＥ−Ｓ１ＡＰ−ＩＤパラメータは、初期コンテキスト設定メッセージから取得される。このＭＭＥ−ＵＥ−Ｓ１ＡＰ−ＩＤパラメータは、当該初期コンテキスト設定メッセージを送信したＭＭＥ＿４２の管理下にある一のＵＥ＿３４と当該ＭＭＥ＿４２との関連付けを示す端末・基地局制御装置関連付け識別情報である。
（４）ＥＮＢ−ＵＥ−Ｓ１ＡＰ−ＩＤパラメータ
ＥＮＢ−ＵＥ−Ｓ１ＡＰ−ＩＤパラメータは、初期コンテキスト設定メッセージから取得される。このＥＮＢ−ＵＥ−Ｓ１ＡＰ−ＩＤパラメータは、当該初期コンテキスト設定メッセージのＭＭＥ−ＵＥ−Ｓ１ＡＰ−ＩＤパラメータで識別される関連付けに該当するＵＥ＿３４と当該初期コンテキスト設定メッセージの宛先のｅＮｏｄｅＢ＿３２との関連付けを示す基地局・端末関連付け識別情報である。
（５）ＰＤＵパラメータ
ＰＤＵパラメータは、初期コンテキスト設定メッセージから取得される。ＰＤＵパラメータは、同一の「S1AP Procedure Code」である制御メッセージについて、リクエストであるか又は応答であるかを識別するパラメータである。ＰＤＵパラメータの、「０」はリクエストを示すものであり、「１」は応答を示すものである。なお、初期コンテキスト設定メッセージ（リクエスト）はＭＭＥ＿４２からｅＮｏｄｅＢ＿３２へ送信されるが、その応答メッセージはｅＮｏｄｅＢ＿３２からＭＭＥ＿４２へ送信される。
（６）ｇＴＰ＿ＴＥＩＤパラメータ
ｇＴＰ＿ＴＥＩＤパラメータは、初期コンテキスト設定メッセージから取得される。このｇＴＰ＿ＴＥＩＤパラメータは、当該初期コンテキスト設定メッセージのＴＭＳＩパラメータが付与されたＵＥ＿３４のユーザデータに使用されるトンネルに対して付与された伝送経路識別子である。
【００３１】
［パス切替要求メッセージ］
パス切替要求メッセージについて、以下のパラメータを抽出する。
（１）交換時刻情報
交換時刻情報は、当該パス切替要求メッセージがｅＮｏｄｅＢ＿３２とＭＭＥ＿４２との間で交換された時刻を示す。具体的には、パス切替要求メッセージが格納されていたデータ・パケットのタイムスタンプ情報に基づいて、当該パス切替要求メッセージの交換時刻情報を取得する。
（２）ＴＭＳＩパラメータ
ＴＭＳＩパラメータは、パス切替要求メッセージから取得される。このＴＭＳＩパラメータは、当該パス切替要求メッセージを送信したｅＮｏｄｅＢ＿３２のカバレッジ内に在る一のＵＥ＿３４に対して付与された一時的な識別子である。
（３）ＭＭＥ−ＵＥ−Ｓ１ＡＰ−ＩＤパラメータ
ＭＭＥ−ＵＥ−Ｓ１ＡＰ−ＩＤパラメータは、パス切替要求メッセージから取得される。このＭＭＥ−ＵＥ−Ｓ１ＡＰ−ＩＤパラメータは、当該パス切替要求メッセージの宛先であるＭＭＥ＿４２の管理下にある一のＵＥ＿３４であって当該パス切替要求メッセージの関連付け変更に該当するＵＥ＿３４と、当該ＭＭＥ＿４２との関連付けを示す端末・基地局制御装置関連付け識別情報である。
（４）ＥＮＢ−ＵＥ−Ｓ１ＡＰ−ＩＤパラメータ
ＥＮＢ−ＵＥ−Ｓ１ＡＰ−ＩＤパラメータは、パス切替要求メッセージから取得される。このＥＮＢ−ＵＥ−Ｓ１ＡＰ−ＩＤパラメータは、当該パス切替要求メッセージのＭＭＥ−ＵＥ−Ｓ１ＡＰ−ＩＤパラメータで識別される関連付けに該当するＵＥ＿３４と、当該パス切替要求メッセージを送信したｅＮｏｄｅＢ＿３２との関連付けを示す基地局・端末関連付け識別情報である。
（５）ＰＤＵパラメータ
ＰＤＵパラメータは、パス切替要求メッセージから取得される。ＰＤＵパラメータは、同一の「S1AP Procedure Code」である制御メッセージについて、リクエストであるか又は応答であるかを識別するパラメータである。ＰＤＵパラメータの、「０」はリクエストを示すものであり、「１」は応答を示すものである。なお、パス切替要求メッセージ（リクエスト）はｅＮｏｄｅＢ＿３２からＭＭＥ＿４２へ送信されるが、その応答メッセージはＭＭＥ＿４２からｅＮｏｄｅＢ＿３２へ送信される。
（６）ｆ＿ｔｅｉｄ＿ｇｒｅ＿ｋｅｙパラメータ
ｆ＿ｔｅｉｄ＿ｇｒｅ＿ｋｅｙパラメータは、パス切替要求メッセージから取得される。このｆ＿ｔｅｉｄ＿ｇｒｅ＿ｋｅｙパラメータは、当該パス切替要求メッセージのＴＭＳＩパラメータが付与されたＵＥ＿３４のユーザデータに使用されるトンネルに対して付与された伝送経路識別子である。
【００３２】
［ＵＥコンテキストリリースメッセージ］
ＵＥコンテキストリリースメッセージについて、以下のパラメータを抽出する。
（１）交換時刻情報
交換時刻情報は、当該ＵＥコンテキストリリースメッセージがｅＮｏｄｅＢ＿３２とＭＭＥ＿４２との間で交換された時刻を示す。具体的には、ＵＥコンテキストリリースメッセージが格納されていたデータ・パケットのタイムスタンプ情報に基づいて、当該ＵＥコンテキストリリースメッセージの交換時刻情報を取得する。
（２）ＴＭＳＩパラメータ
ＴＭＳＩパラメータは、ＵＥコンテキストリリースメッセージから取得される。このＴＭＳＩパラメータは、当該ＵＥコンテキストリリースメッセージを送信したｅＮｏｄｅＢ＿３２のカバレッジ内に在る一のＵＥ＿３４に対して付与された一時的な識別子である。
（３）ＥＮＢ−ＵＥ−Ｓ１ＡＰ−ＩＤパラメータ
ＥＮＢ−ＵＥ−Ｓ１ＡＰ−ＩＤパラメータは、ＵＥコンテキストリリースメッセージから取得される。このＥＮＢ−ＵＥ−Ｓ１ＡＰ−ＩＤパラメータは、当該ＵＥコンテキストリリースメッセージを交換したｅＮｏｄｅＢ＿３２と、当該ｅＮｏｄｅＢ＿３２のカバレッジ内に在る一のＵＥ＿３４との関連付けを示す基地局・端末関連付け識別情報である。
（４）ＭＭＥ−ＵＥ−Ｓ１ＡＰ−ＩＤパラメータ
ＭＭＥ−ＵＥ−Ｓ１ＡＰ−ＩＤパラメータは、ＵＥコンテキストリリースメッセージから取得される。このＭＭＥ−ＵＥ−Ｓ１ＡＰ−ＩＤパラメータは、当該ＵＥコンテキストリリースメッセージを交換したＭＭＥ＿４２の管理下にある一のＵＥ＿３４と、当該ＭＭＥ＿４２との関連付けを示す端末・基地局制御装置関連付け識別情報である。
（５）ＰＤＵパラメータ
ＰＤＵパラメータは、ＵＥコンテキストリリースメッセージから取得される。ＰＤＵパラメータは、同一の「S1AP Procedure Code」である制御メッセージについて、リクエストであるか又は応答であるかを識別するパラメータである。ＰＤＵパラメータの、「０」はリクエストを示すものであり、「１」は応答を示すものである。なお、ＭＭＥ＿４２からｅＮｏｄｅＢ＿３２へ送信されたＵＥコンテキストリリースメッセージ（リクエスト）に対して、ｅＮｏｄｅＢ＿３２からＭＭＥ＿４２へ、その応答メッセージが送信される。
【００３３】
［ハンドオーバリソース割当メッセージ］
ハンドオーバリソース割当メッセージについて、以下のパラメータを抽出する。
（１）交換時刻情報
交換時刻情報は、当該ハンドオーバリソース割当メッセージがｅＮｏｄｅＢ＿３２とＭＭＥ＿４２との間で交換された時刻を示す。具体的には、ハンドオーバリソース割当メッセージが格納されていたデータ・パケットのタイムスタンプ情報に基づいて、当該ハンドオーバリソース割当メッセージの交換時刻情報を取得する。
（２）ＴＭＳＩパラメータ
ＴＭＳＩパラメータは、ハンドオーバリソース割当メッセージから取得される。このＴＭＳＩパラメータは、当該ハンドオーバリソース割当メッセージに関するハンドオーバの対象のＵＥ＿３４に対して付与された一時的な識別子である。
（３）ＥＮＢ−ＵＥ−Ｓ１ＡＰ−ＩＤパラメータ
ＥＮＢ−ＵＥ−Ｓ１ＡＰ−ＩＤパラメータは、ハンドオーバリソース割当メッセージ（応答）から取得される。ハンドオーバリソース割当メッセージから取得されたＥＮＢ−ＵＥ−Ｓ１ＡＰ−ＩＤパラメータは、当該ハンドオーバリソース割当メッセージを交換したハンドオーバ先のｅＮｏｄｅＢ＿３２と、ハンドオーバ対象のＵＥ＿３４との関連付けを示すハンドオーバ先基地局・ハンドオーバ対象端末関連付け識別情報である。
（４）ＭＭＥ−ＵＥ−Ｓ１ＡＰ−ＩＤパラメータ
ＭＭＥ−ＵＥ−Ｓ１ＡＰ−ＩＤパラメータは、ハンドオーバリソース割当メッセージから取得される。ハンドオーバリソース割当メッセージから取得されたＭＭＥ−ＵＥ−Ｓ１ＡＰ−ＩＤパラメータは、当該ハンドオーバリソース割当メッセージを交換したＭＭＥ＿４２と、ハンドオーバ対象のＵＥ＿３４との関連付けを示すハンドオーバ対象端末・基地局制御装置関連付け識別情報である。
（５）ＰＤＵパラメータ
ＰＤＵパラメータは、ハンドオーバリソース割当メッセージから取得される。ＰＤＵパラメータは、同一の「S1AP Procedure Code」である制御メッセージについて、リクエストであるか又は応答であるかを識別するパラメータである。ＰＤＵパラメータの、「０」はリクエストを示すものであり、「１」は応答を示すものである。なお、ハンドオーバリソース割当メッセージ（リクエスト）はＭＭＥ＿４２からハンドオーバ先のｅＮｏｄｅＢ＿３２へ送信されるが、その応答メッセージはハンドオーバ先のｅＮｏｄｅＢ＿３２からＭＭＥ＿４２へ送信される。
（６）ｇＴＰ＿ＴＥＩＤパラメータ
ｇＴＰ＿ＴＥＩＤパラメータは、ハンドオーバリソース割当メッセージから取得される。このｇＴＰ＿ＴＥＩＤパラメータは、当該ハンドオーバリソース割当メッセージのＴＭＳＩパラメータが付与されたＵＥ＿３４のユーザデータに使用されるトンネルに対して付与された伝送経路識別子である。
【００３４】
［ベアラ変更要求メッセージ］
ベアラ変更要求メッセージについて、以下のパラメータを抽出する。
（１）交換時刻情報
交換時刻情報は、当該ベアラ変更要求メッセージがＭＭＥ＿４２とＳＧＷ＿４４との間で交換された時刻を示す。具体的には、ベアラ変更要求メッセージが格納されていたデータ・パケットのタイムスタンプ情報に基づいて、当該ベアラ変更要求メッセージの交換時刻情報を取得する。
（２）ＩＭＳＩパラメータ
ＴＭＳＩパラメータは、ベアラ変更要求メッセージから取得される。このＩＭＳＩパラメータは、当該ベアラ変更要求メッセージに関するベアラ変更の対象のＵＥ＿３４に対して付与された固有の識別子である。
（３）ｆ＿ｔｅｉｄ＿ｇｒｅ＿ｋｅｙパラメータ
ｆ＿ｔｅｉｄ＿ｇｒｅ＿ｋｅｙパラメータは、ベアラ変更要求メッセージから取得される。このｆ＿ｔｅｉｄ＿ｇｒｅ＿ｋｅｙパラメータは、当該ベアラ変更要求メッセージのＩＭＳＩパラメータが付与されたＵＥ＿３４のユーザデータに使用されるトンネルに対して付与された伝送経路識別子である。
【００３５】
［ベアラ変更応答メッセージ］
ベアラ変更応答メッセージについて、以下のパラメータを抽出する。
（１）交換時刻情報
交換時刻情報は、当該ベアラ変更応答メッセージがＭＭＥ＿４２とＳＧＷ＿４４との間で交換された時刻を示す。具体的には、ベアラ変更応答メッセージが格納されていたデータ・パケットのタイムスタンプ情報に基づいて、当該ベアラ変更応答メッセージ交換時刻情報を取得する。
（２）ＩＭＳＩパラメータ
ＴＭＳＩパラメータは、ベアラ変更応答メッセージから取得される。このＩＭＳＩパラメータは、当該ベアラ変更応答メッセージに関するベアラ変更の対象のＵＥ＿３４に対して付与された固有の識別子である。
（３）ｆ＿ｔｅｉｄ＿ｇｒｅ＿ｋｅｙパラメータ
ｆ＿ｔｅｉｄ＿ｇｒｅ＿ｋｅｙパラメータは、ベアラ変更応答メッセージから取得される。このｆ＿ｔｅｉｄ＿ｇｒｅ＿ｋｅｙパラメータは、当該ベアラ変更応答メッセージのＩＭＳＩパラメータが付与されたＵＥ＿３４のユーザデータに使用されるトンネルに対して付与された伝送経路識別子である。
【００３６】
以上が本実施形態に係る抽出対象のパラメータについての説明である。
【００３７】
説明を図３に戻す。
（ステップＳ３）メッセージ解析部１２は、ステップＳ２の解析の結果として得られたパラメータをパラメータ記憶部１４に記録する。パラメータ記憶部１４には、各パラメータが当該パラメータの取得元の制御メッセージに関連付けて記憶される。
【００３８】
次に、図４を参照して、メッセージの対応付けおよびユーザ装置状態の判定に係る動作を説明する。メッセージ分析装置１は、オペレータからの指示や所定のタイミングにより図４の処理を開始する。例えば、毎日一回、所定の時刻に、図４の処理を開始する。
【００３９】
（ステップＳ１１）メッセージ対応付け部１６は、パラメータ記憶部１４に記憶されているパラメータに基づいて、メッセージ収集部１０で収集された制御メッセージとＵＥ＿３４との対応付け（マッピング）を行う。この対応付けの対象の制御メッセージは、所定の期間においてメッセージ収集部１０で収集されたものである。例えば、毎日一回、所定の時刻に、図４の処理が開始される場合、前日の図４の処理分以降にメッセージ収集部１０で収集された一日分の制御メッセージが、当日の対応付けの対象となる。以下、図９を参照して、本実施形態に係る制御メッセージとＵＥ＿３４との対応付けについて説明する。図９は、図４に示すステップＳ１１の処理手順を示すフローチャートである。
【００４０】
（ステップＳ１１１）メッセージ対応付け部１６は、対応付けの対象の制御メッセージを、各交換時刻情報により交換時刻の早い順にソートする。
【００４１】
（ステップＳ１１２）メッセージ対応付け部１６は、ソート後の対応付けの対象の制御メッセージのうち、Ｓ１−ＭＭＥインタフェースにおける解析対象のメッセージである初期ＵＥメッセージ、初期コンテキスト設定メッセージ、パス切替要求メッセージ、ＵＥコンテキストリリースメッセージ、及びハンドオーバリソース割当メッセージのみを対象にして、同一ＴＭＳＩパラメータを有する制御メッセージを同一グループにグループ分けする。
【００４２】
（ステップＳ１１３）メッセージ対応付け部１６は、ＴＭＳＩパラメータの有効期限の判定を行う。ＴＭＳＩパラメータが取り得る値の範囲は限られており、通常、あるＵＥ＿３４に割り当てられていたＴＭＳＩパラメータと同じ値のＴＭＳＩパラメータが時間の経過に伴って異なるＵＥ＿３４に再利用される。このため、ＴＭＳＩパラメータに有効期限を設け、有効期限を過ぎたＴＭＳＩパラメータを有する制御メッセージを、当該ＴＭＳＩパラメータのグループから削除する。ＴＭＳＩパラメータの有効期限は、予め、メッセージ分析装置１に設定される。
【００４３】
メッセージ分析装置１は、ＴＭＳＩパラメータのグループ毎に、ＴＭＳＩパラメータの有効期限の判定を行う。具体的には、メッセージ分析装置１は、同一ＴＭＳＩパラメータのグループに属する制御メッセージの交換時刻のうち最も早い交換時刻を基準とし、この基準の交換時刻からＴＭＳＩパラメータの有効期限を経過した交換時刻の制御メッセージを、当該グループから削除する。
【００４４】
（ステップＳ１１４）メッセージ対応付け部１６は、ＴＭＳＩパラメータのグループに対して、ＩＭＳＩパラメータの対応付けを行う。メッセージ対応付け部１６は、ＴＭＳＩパラメータのグループ毎に、ＩＭＳＩパラメータの対応付けを行う。以下、ＩＭＳＩパラメータの対応付けについて例を挙げて説明する。
【００４５】
［ＩＭＳＩパラメータの対応付けの例１］
図１０は、ＩＭＳＩパラメータの対応付けの例１を説明するための制御メッセージのシーケンス図である。図１０において、ｅＮｏｄｅＢ＿３２（ｅＮＢ）は、初期コンテキスト設定メッセージ（S1AP Procedure Code「９」、応答）をＭＭＥ＿４２へ送信する。次いで、ＭＭＥ＿４２は、初期コンテキスト設定メッセージ（S1AP Procedure Code「９」、リクエスト）をｅＮｏｄｅＢ＿３２へ送信する。次いで、ＭＭＥ＿４２は、ベアラ変更要求メッセージ（GTPv2 Message Type「３４」）をＳＧＷ＿４４へ送信する。次いで、ＳＧＷ＿４４は、ベアラ変更応答メッセージ（GTPv2 Message Type「３５」）をＭＭＥ＿４２へ送信する。
【００４６】
図１０に示される制御メッセージシーケンスにおいて、初期コンテキスト設定メッセージ（S1AP Procedure Code「９」、応答）が有するｇＴＰ＿ＴＥＩＤパラメータと、ベアラ変更応答メッセージ（GTPv2 Message Type「３５」）が有するｆ＿ｔｅｉｄ＿ｇｒｅ＿ｋｅｙパラメータとは、同じ値である。また、初期コンテキスト設定メッセージ（S1AP Procedure Code「９」、リクエスト）が有するｇＴＰ＿ＴＥＩＤパラメータと、ベアラ変更要求メッセージ（GTPv2 Message Type「３４」）が有するｆ＿ｔｅｉｄ＿ｇｒｅ＿ｋｅｙパラメータとは、同じ値である。
【００４７】
これにより、メッセージ対応付け部１６は、同一ＴＭＳＩパラメータのグループ内の初期コンテキスト設定メッセージ（S1AP Procedure Code「９」、応答）が有するｇＴＰ＿ＴＥＩＤパラメータと同じ値のｆ＿ｔｅｉｄ＿ｇｒｅ＿ｋｅｙパラメータを有するベアラ変更応答メッセージ（GTPv2 Message Type「３５」）であって、当該初期コンテキスト設定メッセージよりも後のベアラ変更応答メッセージがある場合に、当該ベアラ変更応答メッセージが有するＩＭＳＩパラメータを当該ＴＭＳＩパラメータのグループに対応付ける。又は、メッセージ対応付け部１６は、同一ＴＭＳＩパラメータのグループ内の初期コンテキスト設定メッセージ（S1AP Procedure Code「９」、リクエスト）が有するｇＴＰ＿ＴＥＩＤパラメータと同じ値のｆ＿ｔｅｉｄ＿ｇｒｅ＿ｋｅｙパラメータを有するベアラ変更要求メッセージ（GTPv2 Message Type「３４」）であって、当該初期コンテキスト設定メッセージよりも後のベアラ変更要求メッセージがある場合に、当該ベアラ変更要求メッセージが有するＩＭＳＩパラメータを当該ＴＭＳＩパラメータのグループに対応付ける。
【００４８】
［ＩＭＳＩパラメータの対応付けの例２］
図１１は、ＩＭＳＩパラメータの対応付けの例２を説明するための制御メッセージのシーケンス図である。図１１において、ｅＮｏｄｅＢ＿３２（ｅＮＢ）は、ハンドオーバリソース割当メッセージ（S1AP Procedure Code「１」、応答）をＭＭＥ＿４２へ送信する。次いで、ＭＭＥ＿４２は、ハンドオーバリソース割当メッセージ（S1AP Procedure Code「１」、リクエスト）をｅＮｏｄｅＢ＿３２へ送信する。次いで、ＭＭＥ＿４２は、ベアラ変更要求メッセージ（GTPv2 Message Type「３４」）をＳＧＷ＿４４へ送信する。次いで、ＳＧＷ＿４４は、ベアラ変更応答メッセージ（GTPv2 Message Type「３５」）をＭＭＥ＿４２へ送信する。
【００４９】
図１１に示される制御メッセージシーケンスにおいて、ハンドオーバリソース割当メッセージ（S1AP Procedure Code「１」、応答）が有するｇＴＰ＿ＴＥＩＤパラメータと、ベアラ変更応答メッセージ（GTPv2 Message Type「３５」）が有するｆ＿ｔｅｉｄ＿ｇｒｅ＿ｋｅｙパラメータとは、同じ値である。また、ハンドオーバリソース割当メッセージ（S1AP Procedure Code「１」、リクエスト）が有するｇＴＰ＿ＴＥＩＤパラメータと、ベアラ変更要求メッセージ（GTPv2 Message Type「３４」）が有するｆ＿ｔｅｉｄ＿ｇｒｅ＿ｋｅｙパラメータとは、同じ値である。
【００５０】
これにより、メッセージ対応付け部１６は、同一ＴＭＳＩパラメータのグループ内のハンドオーバリソース割当メッセージ（S1AP Procedure Code「１」、応答）が有するｇＴＰ＿ＴＥＩＤパラメータと同じ値のｆ＿ｔｅｉｄ＿ｇｒｅ＿ｋｅｙパラメータを有するベアラ変更応答メッセージ（GTPv2 Message Type「３５」）であって、当該ハンドオーバリソース割当メッセージよりも後のベアラ変更応答メッセージがある場合に、当該ベアラ変更応答メッセージが有するＩＭＳＩパラメータを当該ＴＭＳＩパラメータのグループに対応付ける。又は、メッセージ対応付け部１６は、同一ＴＭＳＩパラメータのグループ内のハンドオーバリソース割当メッセージ（S1AP Procedure Code「１」、リクエスト）が有するｇＴＰ＿ＴＥＩＤパラメータと同じ値のｆ＿ｔｅｉｄ＿ｇｒｅ＿ｋｅｙパラメータを有するベアラ変更要求メッセージ（GTPv2 Message Type「３４」）であって、当該ハンドオーバリソース割当メッセージよりも後のベアラ変更要求メッセージがある場合に、当該ベアラ変更要求メッセージが有するＩＭＳＩパラメータを当該ＴＭＳＩパラメータのグループに対応付ける。
【００５１】
［ＩＭＳＩパラメータの対応付けの例３］
図１２は、ＩＭＳＩパラメータの対応付けの例３を説明するための制御メッセージのシーケンス図である。図１２において、ｅＮｏｄｅＢ＿３２（ｅＮＢ）は、パス切替要求メッセージ（S1AP Procedure Code「３」、リクエスト）をＭＭＥ＿４２へ送信する。次いで、ＭＭＥ＿４２は、ベアラ変更要求メッセージ（GTPv2 Message Type「３４」）をＳＧＷ＿４４へ送信する。次いで、ＳＧＷ＿４４は、ベアラ変更応答メッセージ（GTPv2 Message Type「３５」）をＭＭＥ＿４２へ送信する。次いで、ＭＭＥ＿４２は、パス切替要求メッセージ（S1AP Procedure Code「３」、応答）をｅＮｏｄｅＢ＿３２へ送信する。
【００５２】
図１２に示される制御メッセージシーケンスにおいて、パス切替要求メッセージ（S1AP Procedure Code「３」、リクエスト）が有するｆ＿ｔｅｉｄ＿ｇｒｅ＿ｋｅｙパラメータと、ベアラ変更要求メッセージ（GTPv2 Message Type「３４」）が有するｆ＿ｔｅｉｄ＿ｇｒｅ＿ｋｅｙパラメータとは、同じ値である。
【００５３】
これにより、メッセージ対応付け部１６は、同一ＴＭＳＩパラメータのグループ内のパス切替要求メッセージ（S1AP Procedure Code「３」、リクエスト）が有するｆ＿ｔｅｉｄ＿ｇｒｅ＿ｋｅｙパラメータと同じ値のｆ＿ｔｅｉｄ＿ｇｒｅ＿ｋｅｙパラメータを有するベアラ変更要求メッセージ（GTPv2 Message Type「３４」）であって、当該パス切替要求メッセージよりも後のベアラ変更要求メッセージがある場合に、当該ベアラ変更要求メッセージが有するＩＭＳＩパラメータを当該ＴＭＳＩパラメータのグループに対応付ける。
【００５４】
以上がＩＭＳＩパラメータの対応付けの例の説明である。
【００５５】
以上が図９に係る処理の説明である。
なお、メッセージ対応付け部１６は、ステップＳ１１において、上記図９の処理に加えてさらに、異なるＴＭＳＩパラメータのグループの各々に同じＥＮＢ−ＵＥ−Ｓ１ＡＰ−ＩＤパラメータ又は同じＭＭＥ−ＵＥ−Ｓ１ＡＰ−ＩＤパラメータを有する制御メッセージが存在する場合には、当該異なるＴＭＳＩパラメータのグループ同士を対応付けてもよい。これは、ＴＭＳＩパラメータの再割り当てや再利用への対処である。ＴＭＳＩパラメータはＵＥ＿３４の一時的な識別子である。このため、同じＵＥ＿３４に対して、異なる値のＴＭＳＩパラメータが割り当てられる可能性がある。一方、同じＵＥ＿３４に対して、ＴＭＳＩパラメータが変更されても、ＥＮＢ−ＵＥ−Ｓ１ＡＰ−ＩＤパラメータ及びＭＭＥ−ＵＥ−Ｓ１ＡＰ−ＩＤパラメータは変わらず同じ値である。これにより、異なるＴＭＳＩパラメータのグループの各々に、同じＥＮＢ−ＵＥ−Ｓ１ＡＰ−ＩＤパラメータ又は同じＭＭＥ−ＵＥ−Ｓ１ＡＰ−ＩＤパラメータを有する制御メッセージが存在する場合には、当該異なるＴＭＳＩパラメータは同じＵＥ＿３４に一時的に付与された識別子であるので、当該異なるＴＭＳＩパラメータのグループ同士を対応付ける。
【００５６】
説明を図４に戻す。
（ステップＳ１２，Ｓ１３，Ｓ１４）ユーザ装置状態管理部１８は、ステップＳ１１により対応付けされたＴＭＳＩパラメータのグループ毎に、該対応付けされたＴＭＳＩパラメータのグループ内の制御メッセージに基づいて、当該グループに対応付けされたＩＭＳＩパラメータに該当するＵＥ＿３４の動作状態を判定する。以下に、以下に、ＵＥ＿３４の動作状態の判定方法の例１を示す。
【００５７】
（ＵＥ＿３４の動作状態の判定方法の例１）
ＬＴＥネットワークにおいて、アクティブ状態のＵＥ＿３４が一定時間Ｔｈ以上の間継続して無通信状態である場合には、当該ＵＥ＿３４はアクティブ状態からアイドル状態へ遷移する。このことから、ＵＥ＿３４が一定時間Ｔｈ以上の間継続して無通信状態であることを判定することにより、当該ＵＥ＿３４がアクティブ状態であるのか又はアイドル状態であるのかを推定する。
【００５８】
ユーザ装置状態管理部１８は、ステップＳ１１により対応付けされたＴＭＳＩパラメータのグループ内の制御メッセージに基づいて、当該グループに対応付けされたＩＭＳＩパラメータに該当するＵＥ＿３４の動作状態を判定する。まず、ユーザ装置状態管理部１８は、ステップＳ１１により対応付けされたＴＭＳＩパラメータのグループ内の制御メッセージのうち、交換時刻情報の交換時刻が最も早い制御メッセージと交換時刻情報の交換時刻が最も遅い制御メッセージとの各交換時刻情報に基づいて、最も早い交換時刻から最も遅い交換時刻までの経過時間Ｔを算出する。ユーザ装置状態管理部１８は、算出した経過時間Ｔが所定の閾値α以上であるかを判定する（ステップＳ１２）。閾値αは、上記一定時間Ｔｈに基づいて、予め、ユーザ装置状態管理部１８に設定される。
【００５９】
ユーザ装置状態管理部１８は、ステップＳ１２の判定の結果、経過時間Ｔが閾値α以上である場合には、当該経過時間Ｔの期間における当該ＵＥ＿３４の動作状態を「アクティブ状態」であると判定する（ステップＳ１３）。一方、ユーザ装置状態管理部１８は、ステップＳ１２の判定の結果、経過時間Ｔが閾値α未満である場合には、当該経過時間Ｔの期間における当該ＵＥ＿３４の動作状態を「アイドル状態」であると判定する（ステップＳ１４）。ユーザ装置状態管理部１８は、ＵＥ＿３４の動作状態の判定結果を記録する。
以上がＵＥ＿３４の動作状態の判定方法の例１の説明である。
【００６０】
以上が図４に係る処理の説明である。
【００６１】
（ＵＥ＿３４の動作状態の判定方法の例２）
ユーザ装置状態管理部１８は、ステップＳ１１により対応付けされたＴＭＳＩパラメータのグループ毎に、当該ＴＭＳＩパラメータに該当するＵＥ＿３４の動作状態の判定を行う。ユーザ装置状態管理部１８は、ステップＳ１１により対応付けされたＴＭＳＩパラメータのグループ内の制御メッセージのうち、ＵＥコンテキストリリースメッセージを選択する。但し、Ｓ１ハンドオーバに係るメッセージシーケンスで発生したＵＥコンテキストリリースメッセージは除外する。次いで、ユーザ装置状態管理部１８は、選択されたＵＥコンテキストリリースメッセージの交換時刻情報の交換時刻に、当該ＵＥ＿３４がアクティブ状態からアイドル状態へ遷移したと判定する。なお、Ｓ１ハンドオーバとは、一台のＭＭＥ＿４２が管理する複数のトラッキングエリアにおいて、異なるトラッキングエリア間のハンドオーバのことを指す。各トラッキングエリアには、一又は複数のｅＮｏｄｅＢ＿３２が配置される。
【００６２】
図１３は、本実施形態に係る制御メッセージの対応付けの例を示す図表である。図１３において「S1AP Procedure Code」、ＰＤＵパラメータ及び「GTPv2 Message Type」以外の各パラメータの値、並びに時刻の値は、説明の便宜上の値である。また、以下の説明では、制御メッセージの「S1AP Procedure Code」及び「GTPv2 Message Type」をカッコ内に記す。
【００６３】
図１３において、Ｎｏ．１の初期コンテキスト設定メッセージ（９）のｇＴＰ＿ＴＥＩＤパラメータと、Ｎｏ．４のベアラ変更応答メッセージ（３５）のｆ＿ｔｅｉｄ＿ｇｒｅ＿ｋｅｙパラメータとは、同じ値「３００」である。これにより、Ｎｏ．１の初期コンテキスト設定メッセージ（９）のＴＭＳＩパラメータ「Ａ」が一時的に付与されたＵＥ＿３４の固有の識別子であるＩＭＳＩパラメータは、Ｎｏ．４のベアラ変更応答メッセージ（３５）のＩＭＳＩパラメータ「Ｑ」である。
【００６４】
また、Ｎｏ．５のハンドオーバリソース割当メッセージ（１）のｇＴＰ＿ＴＥＩＤパラメータと、Ｎｏ．８のベアラ変更応答メッセージ（３５）のｆ＿ｔｅｉｄ＿ｇｒｅ＿ｋｅｙパラメータとは、同じ値「３１０」である。これにより、Ｎｏ．５のハンドオーバリソース割当メッセージ（１）のＴＭＳＩパラメータ「Ｂ」が一時的に付与されたＵＥ＿３４の固有の識別子であるＩＭＳＩパラメータは、Ｎｏ．８のベアラ変更応答メッセージ（３５）のＩＭＳＩパラメータ「Ｑ」である。
【００６５】
また、Ｎｏ．９のパス切替要求メッセージ（３）のｆ＿ｔｅｉｄ＿ｇｒｅ＿ｋｅｙパラメータと、Ｎｏ．１０のベアラ変更要求メッセージ（３４）が有するｆ＿ｔｅｉｄ＿ｇｒｅ＿ｋｅｙパラメータとは、同じ値「３２０」である。これにより、Ｎｏ．９のパス切替要求メッセージ（３）のＴＭＳＩパラメータ「Ｃ」が一時的に付与されたＵＥ＿３４の固有の識別子であるＩＭＳＩパラメータは、Ｎｏ．１０のベアラ変更要求メッセージ（３４）のＩＭＳＩパラメータ「Ｑ」である。
【００６６】
上記図１３において、各ＴＭＳＩパラメータ「Ａ」、「Ｂ」、「Ｃ」に対応付けされるＩＭＳＩパラメータは全て「Ｑ」である。したがって、ＴＭＳＩパラメータ「Ａ」、「Ｂ」、「Ｃ」は全て同一ＵＥ＿３４に対して一時的に付与された識別子である。これにより、各ＴＭＳＩパラメータ「Ａ」、「Ｂ」、「Ｃ」を有する制御メッセージは、ＩＭＳＩパラメータ「Ｑ」が付与された同一ＵＥ＿３４に関する制御メッセージとして、当該ＵＥ＿３４の動作状態の判定に使用される。
【００６７】
上述した実施形態によれば、Ｓ１−ＭＭＥインタフェースを流れるデータ・パケットを捕捉し、捕捉されたデータ・パケットから収集された特定の複数種類の制御メッセージをＴＭＳＩパラメータに基づいてグループ分けする。これにより、ｅＮｏｄｅＢ＿３２とＭＭＥ＿４２との間で交換される制御メッセージとＵＥ＿３４との対応付け範囲の拡大を図ることができる。また、ＴＭＳＩパラメータのグループ内の制御メッセージに基づいて、当該ＴＭＳＩパラメータに該当するＵＥ＿３４の動作状態を判定することができる。
【００６８】
また、上述した実施形態によれば、Ｓ１１インタフェースを流れるデータ・パケットを捕捉し、捕捉されたデータ・パケットから収集された特定の種類の制御メッセージに含まれるＩＭＳＩパラメータを、Ｓ１−ＭＭＥインタフェースの制御メッセージとＳ１１インタフェースの制御メッセージとに共通に含まれるトンネル識別子（伝送経路識別子）に基づいてＴＭＳＩパラメータのグループに対応付ける。これにより、ＩＭＳＩパラメータに対応付けされたＴＭＳＩパラメータのグループ内の制御メッセージに基づいて、当該ＩＭＳＩパラメータで特定されるＵＥ＿３４の動作状態を判定することができる。
【００６９】
また、上述した実施形態によれば、ＴＭＳＩパラメータの有効期限の判定を行い、有効期限切れのＴＭＳＩパラメータを有する制御メッセージを、当該ＴＭＳＩパラメータのグループから削除する。これにより、有効期限切れのＴＭＳＩパラメータを有する制御メッセージは、当該ＴＭＳＩパラメータに該当するＵＥ＿３４の動作状態の判定に使用されないので、ＴＭＳＩパラメータの再利用によるＵＥ＿３４の動作状態の誤判定を防止できる。
【００７０】
また、異なるＴＭＳＩパラメータのグループの各々に同じＥＮＢ−ＵＥ−Ｓ１ＡＰ−ＩＤパラメータ又は同じＭＭＥ−ＵＥ−Ｓ１ＡＰ−ＩＤパラメータを有する制御メッセージが存在する場合には、当該異なるＴＭＳＩパラメータのグループ同士を対応付けることにより、同じＵＥ＿３４に対して異なる値のＴＭＳＩパラメータが割り当てられた場合にも、当該異なるＴＭＳＩパラメータのグループ内の制御メッセージに基づいて、同じＵＥ＿３４の動作状態を判定することができる。これは、ＴＭＳＩパラメータの再割り当てや再利用への対処の一つとして有効である。
【００７１】
また、本実施形態によれば、ＵＥ＿３４がアクティブ状態であるか又はアイドル状態であるのかを把握し、ＵＥ＿３４の状態を管理することによって、例えば、アイドル状態であるＵＥ＿３４の比率を算出することができる。
【００７２】
また、特定の複数種類の制御メッセージの対応付けの結果が通常とは異なるシーケンスを示すことを判定することによって、例えば端末ソフトウェアのバグのために異常なシーケンスを示すＵＥ＿３４を検出することができる。
【００７３】
以上、本発明の実施形態について図面を参照して詳述してきたが、具体的な構成はこの実施形態に限られるものではなく、本発明の要旨を逸脱しない範囲の設計変更等も含まれる。
【００７４】
例えば、上述した実施形態ではＬＴＥネットワークに適用したが、他の無線通信ネットワークに適用してもよい。
【００７５】
また、上述したメッセージ分析装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００７６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７７】
１…メッセージ分析装置、１０…メッセージ収集部、１２…メッセージ解析部、１４…パラメータ記憶部、１６…メッセージ対応付け部、１８…ユーザ装置状態管理部、３０…ｅＵＴＲＡＮ、３２…ｅＮｏｄｅＢ（基地局装置）、３４…ＵＥ（ユーザ装置）、４０…ＥＰＣ、４２…ＭＭＥ（基地局制御装置）、４４…ＳＧＷ（伝送装置）、４６…ＰＧＷ、４８…ＨＳＳ
【図１】
0006368258.tif 000002
【図２】
0006368258.tif 000003
【図３】
0006368258.tif 000004
【図４】
0006368258.tif 000005
【図５】
0006368258.tif 000006
【図６】
0006368258.tif 000007
【図７】
0006368258.tif 000008
【図８】
0006368258.tif 000009
【図９】
0006368258.tif 000010
【図１０】
0006368258.tif 000011
【図１１】
0006368258.tif 000012
【図１２】
0006368258.tif 000013
【図１３】
0006368258.tif 000014